(57)【要約】  【課題】  開閉器の誤動作が無く、且つ接触不良を防ぎ、安定した振動が得られるバイブレーターを提供する。  【解決手段】  第一ハウジングと第二ハウジングとを組み合わせて構成するハウジングと、開閉器と、電池と、モータとを含んでなり、該ハウジングは、略中間の位置に切り欠き溝を形成したリブの上面に凹状の支持領域を形成して、該開閉器を設け、且つ該ハウジング内に複数の制限部を形成し、該制限部には幅の広い切り欠き溝を複数形成し、それぞれの制限部の間に第一空間と、第二空間と、第三空間を形成して該電池とモータとを収納するとともに、該第二空間には挿入溝を形成した当止板を形成して弾性部材を設けて一方の該ハウジングの当止板と位置決め部に位置決めし、且つ該第一ハウジングと第二ハウジングに凸柱と該凸柱が挿入される挿入座を形成して、該第一ハウジングと第二ハウジングとを組立てる。【選択図】  図１
0003113993.tif 000002
【実用新案登録請求の範囲】
【請求項１】
第一ハウジングと第二ハウジングとを組み合わせて構成するハウジングと、開閉器と、電池と、モータとを含んでなり、いわゆる大人の玩具に応用されるバイブレーターであって、
該ハウジングは、略中間の位置に切り欠き溝を形成したリブの上面に凹状の支持領域を形成して、該開閉器を設け、且つ該ハウジング内に複数の制限部を形成し、該制限部には幅の広い切り欠き溝を複数形成し、それぞれの制限部の間に第一空間と、第二空間と、第三空間を形成して該電池とモータとを収納するとともに、該第二空間には挿入溝を形成した当止板を形成して弾性部材を設けて一方の該ハウジングの当止板と位置決め部に位置決めし、且つ該第一ハウジングと第二ハウジングに凸柱と該凸柱が挿入される挿入座を形成して、該第一ハウジングと第二ハウジングとを組立てることを特徴とするバイブレーター。
【考案の詳細な説明】
【技術分野】
【０００１】
この考案はバイブレーターに関し、特にいわゆる大人の玩具と称するカテゴリーの商品に用いるバイブレーターの構造の改良に関する。
【背景技術】
【０００２】
大人の玩具なる商品の開発は、外観が消費者の注意を引くこと以外に、部材間の連結が確実で堅牢であることをデザインの要件としている。目下市販されている大人の玩具で所定の動作を行うものは、所望の効果を達成するために、部材の間に補助的なバイブレーションの動力源を備えている。該動力源は、メーカーによって異なる形態で設けられ、使用上補助的な、且つ動的な効果を付与することによって、使用者を興奮させる機能を有する。
【０００３】
但し、一般に補助的な振動効果を有する大人の玩具は。その多くが予期せずに電源が入り、電池の電源を消耗し、使用寿命が大幅に短くなるという欠点を有する。
【考案の開示】
【考案が解決しようとする課題】
【０００４】
この考案は組み立てが容易で、開閉器の誤動作が無く、且つ接触不良を防ぎ、安定した振動が得られるバイブレーターを提供することを課題とする。
【課題を解決するための手段】
【０００５】
以下、この考案について具体的に説明する。
【０００６】
請求項１に記載するバイブレーターは、第一ハウジングと第二ハウジングとを組み合わせて構成するハウジングと、開閉器と、電池と、モータとを含んでなり、いわゆる大人の玩具に応用されるバイブレーターであって、
該ハウジングは、略中間の位置に切り欠き溝を形成したリブの上面に凹状の支持領域を形成し、該開閉器を設け、且つ該ハウジング内に複数の制限部を形成し、該制限部には幅の広い切り欠き溝を複数形成し、それぞれの制限部の間に第一空間と、第二空間と、第三空間とを形成して該電池とモータとを収納するとともに、該第二空間には挿入溝を形成した当止板を形成して弾性部材を設けて一方の該ハウジングの当止板と位置決め部に位置決めし、且つ該第一ハウジングと第二ハウジングに凸柱と該凸柱が挿入される挿入座を形成して、該第一ハウジングと第二ハウジングとを組立てる。
【考案の効果】
【０００７】
本考案のバイブレーターは、組み立てが容易で生産性を高めるという利点がある。
【０００８】
また本考案のバイブレーターは開閉器の誤動作が無く、且つ接触不良を防ぎ、安定した振動が得られると言う利点がある。
【考案を実施するための最良の形態】
【０００９】
この考案はいわゆる大人の玩具と称するカテゴリーの商品に用いるバイブレーターの構造の改良を提供するものであって、第一ハウジングと第二ハウジングとを組み合わせて構成するハウジングと、開閉器と、電池と、モータとを含み構成される。係るバイブレーターについて、その構造と特徴を詳述するために具体的な実施例を挙げ、以下に説明する。
【実施例１】
【００１０】
この考案によるバイブレーター６は、図１に開示するようにハウジング１、１’と、及び開閉器２と弾性部材３と電池４と振動を発生させるためのモータ５とによって。
【００１１】
ハウジング１は、略中間の位置に切り欠き溝１１１を形成したリブ１２の上面に凹状の支持領域１１を形成し、且つハウジング１内に複数の制限部１３を形成する。該制限部１３には幅の広い切り欠き溝１３１を複数形成する。それぞれの制限部１３の間には第一空間１４、第二空間１５、第三空間１６が形成される。第一空間１４には凸柱１４１を外方向に延伸して突出するように形成する。第二空間１５には挿入溝１５１を形成した当止板１５２を形成する。該当止板１５２は弾性部材３と電池４とが直接接触し、接触不良を起こすことを防ぐために設ける。第三空間１６の一方の内壁には該当止板１５２から所定の距離をおいて凸状の位置制限部１６１を形成する。また、第三空間の下端に近い位置には挿入座１６２を形成する。
【００１２】
ハウジング１’には、ハウジング１の制限部１３に対応する位置に、同様に切り欠き溝１３１を形成した複数の制限部１３を形成し、第一空間１４、第二空間１５、第三空間１６を形成する。第一空間１４には、前記凸柱１４１に対応する位置に挿入座１４２を形成する。第三空間には前記挿入座１６２に対応する凸柱１６３を形成する。
【００１３】
開閉器２は嵌着部２１と、該嵌着部２１から延伸して形成される押圧部２２とを含み、該押圧部２２の嵌着部２１に近接した両側辺にはそれぞれ対応する位置に突起状の凸点２３を形成する。
【００１４】
弾性部材３は、所定の幅を有する金属片であって、底端部に当止部３１を形成し、上単に接触部３２を形成する。
【００１５】
この考案によるバイブレーターを組立てる場合、図２に開示するように開閉器２の嵌着部２１をハウジング１の切り欠き溝１１１内に嵌着し、弾性部材３を挿入溝１５１に挿設して位置決めし、弾性部材３が当止板１５２の側面に当止し、底端の当止部３１が位置制限部１６１に当止するように構成する。
【００１６】
電池４とモータ５はそれぞれハウジング１の第二空間１５と第三空間１６に設け、且つ制限部１３と切り欠き溝１３１とによって位置決めする。このためモータ５は一端が弾性部材３の当止部３１に接触し、他端が電池４と接触する。
【００１７】
次いでハウジング１’の挿入座１４２、凸柱１６３と、ハウジング１の凸柱１４１、挿入座１６２とを嵌合させ、図３に開示するようにバイブレーター６を完成させる。図３に開示するバイブレーター６は、通電状態にある。
【００１８】
バイブレーター６は図４、５に開示するように、柔軟な特性を有する材質によってなり、収納部７１が形成されたリング７にバイブレーター６を挿入する。使用する場合は、開閉器２を水平方向に押して所定の距離だけ移動させると、開閉器２の凸点２３がリブ１２を超えて当接する位置に到り、開閉器２の押圧部２２が弾性部材３の上端を下方に押圧する。このため弾性部材３の接触部３２が電池４に接触してモータ５が起動し、振動が発生する。この場合、開閉器２の凸点２３によってモータ５を起動させる場合の確実な位置決めの感覚を使用者に与えるとともに、開閉器２が予期せずＯＮ、もしくはＯＦＦに切り替わることを防ぐことができる。また、開閉器２に対して水平方向に力を施すためハウジングが開閉器２を押す力によって分解することができる。バイブレーター６（図５参照）を利用して女性の陰核の位置を振動、摩擦させることによって女性が容易にオルガスムスに達することができる。また、リング７を男性の性器に挿入し、根部に内周縁７２を当接させることによって男性の生殖器が勃起した状態を維持する時間を延長させ、射精を遅延させ、男性の性機能障害を改善する効果が得られる。
【００１９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２０】
【図１】この考案によるバイブレーターの分解図である。
【図２】この考案における一方のハウジングに部材を組みつけた状態を示した説明図である。
【図３】この考案によるバイブレーターの斜視図である。
【図４】この考案におけるバイブレーターの起動の動作を示した説明図である。
【図５】この考案におけるバイブレーターの実施態様を示した説明図である。
【符号の説明】
【００２１】
１、１’          ハウジング
１１                  支持領域
１１１                切り欠き溝
１２                  リブ
１３                  制限部
１３１                切り欠き溝
１４                  第一空間
１４１                凸柱
１４２                挿入座
１５                  第二空間
１５１                挿入溝
１５２                当止板
１６                  第三空間
１６１                位置制限部
１６２                挿入座
１６３                凸柱
２                    開閉器
２１                  嵌着部
２２                  押圧部
２３                  凸点
３                    弾性部材
３１                  当止部
３２                  接触部
４                    電池
５                  モータ
６                    バイブレーター
７                    リング
７１                  収納部
７２                  内周縁
【図１】
0003113993.tif 000003
【図２】
0003113993.tif 000004
【図３】
0003113993.tif 000005
【図４】
0003113993.tif 000006
【図５】
0003113993.tif 000007